【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
決められた厚さの前壁（３７）を貫通する少なくとも１つのオリフィスを通って入口方向（Ｄ３）に外側に開口する空洞（３０、８０）を区画し、それによって、決められた開口面（Ａ３１）および決められた長さ（Ｌ３１）を有するネック部（３１、４１、６１、７１、８１）を形成するエンクロージャ（３７、３８、３９、８７、８８、８９）であって、前記エンクロージャおよび前記ネック部の寸法は、固有振動数と呼ばれる、第１の周波数または周波数範囲のためのヘルムホルツ共鳴器を一緒になって形成するように決定される、前記エンクロージャを含む、吸音装置（３、４、６、７、８）、特に受動型吸音器であって、
前記少なくとも１つのネック部を部分的に塞ぐ位置、すなわち、前記ウェーハのストロークの全部または一部で封止されない位置において、１以上の機械的連結部、又はサスペンション（３３、４３、６１４０、８３、９３１ａ、９３１ｂ）によって前記エンクロージャに懸架された、少なくとも１つの可動要素、又はウェーハ（３２、４２、６２、７２ａ、７２ｂ、９２ａ、９２ｂ）を含むこと、及び前記サスペンションの剛性および前記ウェーハの剛性が、これらの組み合わせとして、特にこれらの比として決定され、そのため、前記ウェーハが、前記第１の周波数とは異なる、特により低い第２の周波数または周波数範囲で入射波（Ｄ３）の方向に沿って「ピストン」型の共振モードで振動し、それによって、この第２の周波数または周波数範囲の吸音を達成すること、
を特徴とする、吸音装置。
【請求項２】
前記ウェーハ（３２、４２、６２、７２ａ、７２ｂ、９２ａ、９２ｂ）は、シリコン、石英、アルミナ、チタンおよびその合金、鋼、アルミニウムおよびその合金、プラスチックおよび特にポリマーの中から選択される１以上の材料で作られていることを特徴とする、請求項１に記載の装置。
【請求項３】
前記サスペンション（３３、４３、６１４０、８３、９３１ａ、９３１ｂ）は、弾性挙動を提供する材料で、弾性挙動を提供する幾何学的形状を使用して作られており、前記ウェーハの周辺部における移動のための６Ｎ／ｍ未満の剛性、特に、１０ｍｍ〜２０ｍｍの平均直径のウェーハでは２Ｎ／ｍ未満の剛性を有することを特徴とする、請求項２又は３に記載の装置。
【請求項４】
前記サスペンション（３３）は、前記ネック部（３１）および／または前記ウェーハ（３２）の縁部に対して平行な前記ウェーハの周りに延在する形状で、前記ウェーハ（３２）を前記エンクロージャ（３７）に連結する細長いアーム（３３１）を含む、ことを特徴とする、請求項１〜３のいずれか一項に記載の装置（３）。
【請求項５】
前記ウェーハ（３２）が、前記エンクロージャ（３７）と一体のプレート（３２０、５１２、６１２）またはシート内で、サスペンションアーム（３３１）を形成するように前記プレートまたはシートに作られた１以上の切抜き部（３３０）を用いて、前記エンクロージャに対して可動とされた部分によって作られていることを特徴とする、請求項４に記載の装置（３）。
【請求項６】
前記ウェーハ（６２、７２ａ、７２ｂ）は、前記ウェーハが前記ネック部から脱出するのを防ぐ栓を形成するように前記ウェーハの前記周辺部の前に延在する両端で前記ネック部から突出する１以上の前進部によって前記ネック部に保持されていることを特徴とする、請求項１〜３のいずれか一項に記載の装置（６、７）。
【請求項７】
前記ウェーハ（７２ａ、７２ｂ）は、前記ウェーハが、傾斜すること、及びアーチ状になることによる閉塞を引き起こすことなく、前記ネック部に沿って運動（Ｄ３）することを可能にするように、十分に決められた長さにわたって決められたずれを伴い、前記ずれと、前記ネック部および前記ウェーハの前記材料の性質とが組み合わされて、前記ネック部の内面に一致する周辺部を有することを特徴とする、請求項１〜６のいずれか一項に記載の装置（７）。
【請求項８】
前記ウェーハは、可撓性の周辺シール（８３、８４）によって外フレーム（８７、８５）に固定されたスピーカの振動板（８２）によって形成されていること、及び前記シールは、その周辺部の少なくとも２０％、特に少なくとも４０％にわたって前記ウェーハを取り囲む１以上の切抜き部（８３０、８４０）を有すること、を特徴とする、請求項１〜３のいずれか一項に記載の装置（８）。
【請求項９】
前記ウェーハ（３２、８２）は、スピーカの膜を形成するように電磁系（３２４、３７４、８２４、８７４）によって前記エンクロージャとさらに相互作用すること、及び
前記電磁系は、
能動的な吸音を達成するために、および／または
前記スピーカの音響インピーダンスを変更して吸音を高め、前記吸音周波数をシフトさせ、前記吸音周波数範囲を広げ、またはこれらの効果の組み合わせを得られるように、
電子回路によって制御されること、
を特徴とする、請求項１〜８のいずれか一項に記載の装置。
【請求項１０】
共通方向（Ｄ３）に吸音を提供するように連続した２次元配列内に並置された、請求項１〜９のいずれか一項に記載の多数の装置（３、４、６、７、８）を含む、吸音壁（５）。
【請求項１１】
そのハウジングが、いわゆる後面で閉じられている（５８）多数の空洞（３０）を形成するハニカム構造を有し、
その空洞が、前面で、各々がウェーハ（３２、６２、７２ａ、７２ｂ）を受ける多数のネック部（３１、４１、７１）を形成するように切断された１以上の壁（５１１、５１２、５１３、６１１、６１２、６１３、６１４）によって覆われているプレート（５００）を含むことを特徴とする、請求項１０に記載の壁。
【請求項１２】
目標周波数を吸収することが意図された、請求項１〜９のいずれか一項に記載の吸音器の工業化のための方法であって、
ネック部（３１、４１、６１、７１、８１）を備えた空洞（３０、８０）の寸法を、前記空洞および前記ネック部が、前記目標周波数よりも高い第１の周波数のヘルムホルツ共振を有するヘルムホルツ空洞を形成するように決定するステップと、
前記目標周波数に対応する第２の周波数に合わせた吸音器を作り出すように、前記空洞の前記ネック部に配置されるように適合された、懸架されたウェーハの特性を決定するステップと、
を含むことを特徴とする方法。
【請求項１３】
前記懸架されたウェーハは、前記吸音器の前記サスペンションが、前記第２の周波数よりも低い周波数でその第１の正規変形モードを有するように決定される、請求項１２に記載の方法。
【請求項１４】
前記吸音器の前記ウェーハは、前記ウェーハが自由であるときに、前記第２の周波数よりも高い周波数でその第１の正規変形モードを有するように決定されることを特徴とする、請求項１３に記載の方法。
【請求項１５】
請求項１〜６のいずれか一項に記載の吸音器（３）または請求項１０もしくは１１に記載の壁（５）を製造する方法であって、１以上の吸音器ウェーハ（３２、６２）を形成するようにシートまたはプレート（３２０、５１２、６１２）を切り抜く少なくとも１つのステップ（３３０）を含むことを特徴とする方法。
【請求項１６】
前記プレートまたはシート（３２０、５１２、６１２）は、ハニカム構造を有するプレート（５００）の表面に固定されていること、および前記切り抜くステップ（３３０）は、請求項１１に記載の防音壁（５）の前記複数のウェーハ（３２、６２）を形成するように、前記ハニカム構造の前記ハウジングに対して分配された複数のウェーハを製造すること、を特徴とする、請求項１５に記載の方法。
【手続補正２】
【補正対象書類名】明細書
【補正対象項目名】０１０９
【補正方法】変更
【補正の内容】
【０１０９】
このハニカムプレート５００は、その前面が２つの層５１１、５１３で覆われており、それらの層は、ハニカムのハウジング３０ごとに長さＬ３１および面積Ａ３１のネック部３１を形成するように穿孔されている。これら２つの穿孔層５１１、５１３は、その間にプレートまたはシート５１２を封入しており、シートは、例えば、図４などに記載されるパターン３３０として、各吸音器３のウェーハ３２およびそのサスペンション３３を形成するように切断されている。